(57)【要約】本発明は、ユーザが彼の好みまたは必要によって、投資情報提供システムの作業画面を設定することができるシステム及びその方法を提供する。
2006510087.tif 000002
【特許請求の範囲】
【請求項１】
ユーザが要する投資情報をディスプレイするウィンドウをユーザの意図通り設定することができる投資情報提供システムにおいて、
前記ユーザによって生成されたか、既に生成されたウィンドウであって、前記ユーザによって指定された所定のウィンドウ内に、前記ユーザの設定によって所定個数のサブディスプレイ領域を生成するウィンドウ生成モジュールと、
前記ユーザの設定によって前記生成されたサブディスプレイ領域のそれぞれにディスプレイされるように指定されたサブエレメントの中で、相互関連のあるサブエレメントは相互間に同期化されるように制御するウィンドウ制御モジュール、及び
前記ユーザの設定によって指定されたサブエレメントを指定されたサブディスプレイ領域にディスプレイするディスプレイモジュールを含む作業画面のユーザ設定が可能な投資情報提供システム。
【請求項２】
前記ウィンドウ制御モジュールは、
前記所定のウィンドウに属したサブディスプレイ領域にディスプレイされるサブエレメントに関する登録情報を保存する登録情報保存モジュール、及び
前記ディスプレイモジュールが各サブディスプレイ領域でディスプレイすべきのサブエレメントを指定するサブエレメント制御モジュールを含む請求項１に記載の作業画面のユーザ設定が可能な投資情報提供システム。
【請求項３】
前記サブエレメント制御モジュールは、
前記登録情報保存モジュールに保存された登録情報に基づいてサブエレメント間の関連有無を把握し、前記ディスプレイモジュールがそれぞれのサブディスプレイ領域にディスプレイすべきの関連のあるサブエレメントを指定する請求項2に記載の作業画面のユーザ設定が可能な投資情報提供システム。
【請求項４】
前記所定のウィンドウに含まれるそれぞれのサブディスプレイ領域にディスプレイされるサブエレメントに対するデータベースを構築するデータベース構築モジュールをさらに含み、
前記ディスプレイモジュールは、前記データベースから前記ウィンドウ制御モジュールが指定したサブエレメントを抽出してディスプレイする請求項1に記載の作業画面のユーザ設定が可能な投資情報提供システム。
【請求項５】
ユーザ設定を入力するユーザ設定入力モジュール、及び
入力されたユーザ設定を保存するユーザ設定保存モジュールをさらに含む 請求項1に記載の作業画面のユーザ設定が可能な投資情報提供システム。
【請求項６】
ユーザが要する投資情報をディスプレイするウィンドウをユーザの意図通り設定することができる投資情報提供方法において、
前記ユーザによって生成されたか、既に生成されたウィンドウであって、前記ユーザによって指定された所定のウィンドウ内に、前記ユーザの設定によって所定個数のサブディスプレイ領域を生成する第1段階と、
前記ユーザの設定によって前記生成されたサブディスプレイ領域のそれぞれにディスプレイされるように指定されたサブエレメントの中で、相互関連のあるサブエレメントは相互間に同期化されるように制御する第2段階、及び
前記ユーザの設定によって指定されたサブエレメントを指定されたサブディスプレイ領域にディスプレイする第3段階を含む作業画面のユーザ設定が可能な投資情報提供方法。
【請求項７】
前記第2段階は、
(2-1)前記所定のウィンドウに属したサブディスプレイ領域にディスプレイされるサブエレメントに関する登録情報を保存する登録情報保存段階、及び
(2-2)前記それぞれのサブディスプレイ領域にディスプレイすべきのサブエレメントを指定するサブエレメント制御段階を含む請求項6に記載の作業画面のユーザ設定が可能な投資情報提供方法。
【請求項８】
前記(2-2)サブエレメント制御段階は、
前記(2-1)登録情報保存段階によって保存された登録情報に基づいて、サブエレメント間の関連有無を把握し、前記それぞれのサブディスプレイ領域にディスプレイすべきの関連のあるサブエレメントを指定する段階をさらに含む請求項7に記載の作業画面のユーザ設定が可能な投資情報提供方法。
【請求項９】
前記所定のウィンドウに含まれるサブディスプレイ領域にディスプレイされるサブエレメントに対するデータベースを構築するデータベース構築段階をさらに含み、
前記第3段階は、前記構築されたデータベースから前記第3段階によって指定されたサブエレメントを抽出してディスプレイする請求項6に記載の作業画面のユーザ設定が可能な投資情報提供方法。
【請求項１０】
ユーザ設定を入力するユーザ設定入力段階、及び
入力されたユーザ設定を保存するユーザ設定保存段階をさらに含む請求項6に記載の作業画面のユーザ設定が可能な投資情報提供方法。
【発明の詳細な説明】
【技術分野】
【０００１】
本発明は、有線または無線通信網を介して株式、先物(futures)、オプション(option)、債券(bonds)、外為(foreign exchange)、世界証券市場(global financial market)などに対する投資情報を提供する技術に関し、特にユーザによって投資情報を提供される画面の構成が自由に設定されることができ、それぞれの画面構成に該当する情報を相互有機的に関連付けて提供するシステム、 方法及びその記録媒体に関するものである。
【０００２】
以下、本明細書において、次のように用語の意味を定義することにする。 すなわち、“ウィンドウ(window)”とは、特定の作業または情報をディスプレイする作業表示窓を意味し、一つのウィンドウは複数のディスプレイ区域に区画されることができる。一つのウィンドウ内に設定された所定のディスプレイ領域のそれぞれを“サブディスプレイ領域”という。さらには、一つのウィンドウは他のウィンドウを含むこともできる。
【０００３】
“メインウィンドウ(main window)”とは、現在ユーザによって活性化されているウィンドウを意味する。
【０００４】
“投資情報カテゴリー”または簡略に“カテゴリー”と言うのは、例えば、 特定株式銘柄の現在値、取引量、財務諸表、騰落率などのような投資情報の項目を意味する。
【０００５】
“サブエレメント(sub-element)”とは、特定の投資情報カテゴリーの投資情報を意味する。例えば、特定の株式銘柄の現在値カテゴリーにおけるサブエレメントとは、当該株式銘柄の現在値である投資情報を意味する。一般的に特定のサブエレメントのデータ値は時間によって変化することができるが、特定の時点に所定のデータ値を持つことで具体的な情報をユーザに提示する。
【背景技術】
【０００６】
最近、情報技術とコンピューターの発達によってインターネットのユーザが急激に増加するに伴って、通信網を介して提供される情報提供技術がますます多様化している。このような技術の発達は株式、先物、オプション、債券、外為などのような投資対象に対する投資情報提供システムにも影響を及ぼし、現在は証券会社に出なくとも多くの人々が通信網を介して上記銘柄に対する現在値、相場変動状況などの投資情報を提供され、これを通じて注文することができる技術が開示された。
【０００７】
上記のような通常の投資情報提供システムによれば、投資情報を提供する各ウィンドウのディスプレイフォーマット(display format)がユーザに提供される前に既に固定されている。言い換えれば、投資情報が提供される特定のウィンドウの全体ディスプレイ領域は、そのシステム設計時の設定によって特定の投資情報カテゴリーをディスプレイするように予め区画された単数または複数のサブディスプレイ領域に固定されている。
【０００８】
例えば、一つのウィンドウは複数のサブディスプレイ領域に区分され、上記サブディスプレイ領域のそれぞれには特定銘柄の現在値、日間・週間・月間変動、買い値、特定種類のチャート(chart) などの情報がディスプレイされるように設計される。この場合、該当銘柄の関連企業情報または他の銘柄の情報などのように、予めディスプレイされるように設計されないカテゴリーのサブエレメントは上記ウィンドウ内にディスプレイできない。さらに、上記通常の投資情報提供システムによれば、株式、オプション、債券などの市場の中で一つの市場からの情報のみが一つのウィンドウ内でディスプレイされるだけで、他の市場からの情報は上記ウィンドウ内に一緒にディスプレイされることができない。
【０００９】
そのため、ユーザは、一つのメインウィンドウ内に含まれたそれぞれのサブディスプレイ領域にディスプレイされるように予め設定されたカテゴリー以外のカテゴリーのサブエレメントを閲覧するか参照するために、新しいウィンドウを生成して作業しなければならない問題点がある。この場合、ユーザは複数のウィンドウで作業を行わなければならないため不便なだけでなく、二つ以上のウィンドウをディスプレイして作業を行うことになるため作業が行われるコンピューターのシステム資源を過度に多く占有することで、コンピューターの処理速度が低下されるか、他の作業を行うことができないか、ひいてはシステムが非正常的に停止することも生じ得る。
【００１０】
また、上記通常の投資情報提供システムによれば、複数のウィンドウにそれぞれディスプレイされる投資情報が相互間に有機的に関連付けられていないため、相互関係のない情報がディスプレイされる問題点もある。すなわち、二つのウィンドウにそれぞれ現在値と取引量がディスプレイされている場合、ある一つのウィンドウでユーザが関心銘柄を変更したとしても、他のウィンドウではディスプレイされていた銘柄の情報が相変らずディスプレイされるため、ユーザは二つのウィンドウで互いに違う銘柄の情報を閲覧することになる問題点がある。
【００１１】
さらに、情報の效率的なディスプレイという観点から見れば、上記通常の投資情報提供システムによっては、それぞれのサブディスプレイ領域の属性が多様化されるか、定形化または細分化されていないため、これらを定型化させれば多様化することができず、多様化させれば定型化することができない問題点がある。
【発明の開示】
【００１２】
本発明は、上記の問題点を解決するために案出されたものであって、本発明の目的は、ユーザがメインウィンドウのサブディスプレイ領域を自ら設定することができる投資情報システム及びその方法を提供することにある。
【００１３】
また、本発明の他の目的は、メインウィンドウのサブディスプレイ領域にディスプレイされる投資情報のカテゴリーをユーザの意図通り設定することができる投資情報システム及びその方法を提供することにある。
【００１４】
さらに、本発明のまた他の目的は、ディスプレイされる投資情報カテゴリーの情報が相互有機的に関連付けられて提供される投資情報システム及びその方法を提供することにある。
【００１５】
上記の目的を達成するために、本発明は、ユーザが要する投資情報をディスプレイするウィンドウを設定することができる投資情報提供システムにおいて、ユーザの設定によって、ユーザが生成したか指定した所定のウィンドウ内に所定個数のサブディスプレイ領域を生成するウィンドウ生成モジュールと、上記サブディスプレイ領域のそれぞれにディスプレイされるサブエレメントを相互関連付けて制御するウィンドウ制御モジュール、及びユーザの設定によって、 指定されたサブエレメントを指定されたサブディスプレイ領域にディスプレイするディスプレイモジュールを含む作業画面のユーザ設定が可能な投資情報提供システムを提供する。
【００１６】
本発明の他の態様によれば、作業画面のユーザ設定が可能な投資情報提供方法において、ユーザの設定に基づいて生成されるか指定された所定のウィンドウ内にサブディスプレイ領域を生成する第1段階と、上記サブディスプレイ領域のそれぞれにディスプレイされるサブエレメントを相互関連付けて制御する第2段階、及びユーザの設定によって、指定されたサブエレメントを指定されたサブディスプレイ領域にディスプレイする第3段階を含む作業画面のユーザ設定が可能な投資情報提供方法を提供する。
【発明を実施するための最良の形態】
【００１７】
以下、添付された図面を参照して本発明の望ましい実施例について詳しく説明する。
【００１８】
図1は本発明の投資情報提供システムによって投資情報がユーザに提供される過程を概念的に示したブロック図である。本発明による作業画面のユーザ設定が可能な投資情報提供システム(以下、簡略に“投資情報提供システム”という。)によれば、ユーザは自分のコンピューターシステム10を用いて、自分の好みや必要に応じて所定のウィンドウを生成するか指定し、上記ウィンドウ内のサブディスプレイ領域及び上記サブディスプレイ領域にディスプレイされる投資情報のカテゴリーなどを設定することができる。本発明の投資情報提供システム200は、このようなユーザの設定によって、インターネットまたは無線端末機などを用いて有線または無線通信網30を介して投資情報提供元40から投資情報を受信してディスプレイする。または、受信された投資情報を再びユーザのコンピューターシステム10に伝送してディスプレイされるようにする。
【００１９】
特に、本発明の投資情報提供システム200は、一つのウィンドウ内で特定のサブディスプレイ領域がディスプレイしていたサブエレメントが他のサブエレメントに変更されるか、新しいサブエレメントが追加された場合、上記ウィンドウ内の他のサブディスプレイ領域でも上記変更されるか追加されたサブエレメントと所定の関連を持つサブエレメントが自動にそれに対応するようにディスプレイされるようにする。それにより、本発明の投資情報提供システム200は、ユーザが自分の好みまたは必要に応じて一つのウィンドウ内に含まれる複数のサブディスプレイ領域を固有に設定する場合にも、相互間に有機的に関連付けられた投資情報が上記複数のサブディスプレイ領域に提供されるようにすることができる。
【００２０】
次に、図2を参照すれば、図2はユーザに提供される投資情報カテゴリーの一例を株式情報と関連して概念的に示した図面である。図示されたように、現在値、呼び値、騰落率、期間株価、売買現況、取引量、業種指数、財務諸表、財務分析、期間分析と各カテゴリーに対する各種チャート(chart) などの項目が投資情報カテゴリーとして用いられることができる。株式情報の他に先物、オプション、債券、外為、国外市場の情報に対するカテゴリーもユーザに提供されることができる。また、二つの以上の市場に対するカテゴリーも、本発明のシステム200によって一つのウィンドウに属するそれぞれのサブディスプレイ領域でディスプレイされることができ、二つ以上のウィンドウそれぞれでディスプレイされることもできる。
【００２１】
次に、図3を参照すれば、図3は、本発明の第1実施例による投資情報提供システム200を概念的に示したブロック図である。図示されたように、本発明の第1実施例によれば、投資情報提供システム200は、中央処理装置360などの基本的なハードウェア及びこれらを活用して実行されるソフトウェアを含み、その他にもウィンドウ生成モジュール 310、ウィンドウ制御モジュール320、ディスプレイモジュール330、ユーザ設定制御モジュール340及びデータ受信モジュール350をさらに含む。それぞれのモジュールはバス380によって相互連結されている。
【００２２】
ウィンドウ生成モジュール310は、ユーザの設定に従って、投資情報提供システム200によってディスプレイされるウィンドウ及び上記ウィンドウ内のサブディスプレイ領域を生成する。ユーザの設定によってウィンドウ生成モジュール310が生成させる各ウィンドウ及び上記ウィンドウに属したサブディスプレイ領域の数には制限がない。すなわち、ユーザは必要に応じて二つ以上のウィンドウを生成するように設定することもでき、それぞれのウィンドウに含まれるサブディスプレイ領域の数も自由に設定することができる。また、ユーザはサブディスプレイ領域を別に設定することなく、投資情報提供システム200によってディスプレイされる複数のウィンドウを設定することもできる。ウィンドウが生成されれば、ユーザは上記ウィンドウ及び/またはサブディスプレイ領域のそれぞれにディスプレイされるカテゴリーを自由に設定することができる。これに関しては後述する。
【００２３】
次に、ウィンドウ制御モジュール 320は、ユーザの設定に従って生成させたウィンドウまたは上記ウィンドウに属するサブディスプレイ領域のそれぞれでディスプレイされるように設定された投資情報カテゴリーの全てのサブエレメントに関する登録情報を保存し、これに基づいてウィンドウ及び/またはサブディスプレイ領域にディスプレイされるサブエレメントを指定する。ここでウィンドウまたは上記ウィンドウに属するサブディスプレイ領域でディスプレイされるサブエレメントに関する登録情報とは、サブエレメントである投資情報自体ではなく、ディスプレイされるサブエレメントのリスト、大きさなどその属性に関する情報を意味する。
【００２４】
特に、ウィンドウ制御モジュール320は、各サブディスプレイ領域にディスプレイされるサブエレメント間の関連性の可否を把握する。そのようにして、関連のあるサブエレメントが把握されれば、一つのウィンドウに含まれた特定のサブディスプレイ領域にディスプレイされたサブエレメントが変更されるか追加される場合、上記ウィンドウに含まれた他のサブディスプレイ領域でも上記変更されるか追加されたサブエレメントと関連のあるものと把握されたサブエレメントをディスプレイする。すなわち、一つのウィンドウに属した複数のサブディスプレイ領域のそれぞれで相互関連のあるサブエレメントは相互間に同期化されてディスプレイされるように制御される。
【００２５】
ここで、サブエレメント間の関連性有無の基準は、例えば、銘柄名称や銘柄コードなどが同一な場合、相互間に関連があるものと設定することができる。例えば、一つのウィンドウの特定のサブディスプレイ領域が複数の株式銘柄の現在値をディスプレイし、そのウィンドウの他のサブディスプレイ領域が複数の株式銘柄の特正日の取引量をディスプレイする場合、特定の会社の株式の現在値をその値として持っているサブエレメントとその会社の株式の特正日の取引量をその値として持っているサブエレメントとの相互間には関連がある(または“関連を持つ”ともいう。)と把握する。このような関連有無の基準は、本発明の投資情報提供システム200の運営者によって予め設定されることが望ましい。
【００２６】
さらに、ウィンドウ制御モジュール320は、特定のウィンドウに属する特定のサブディスプレイ領域にディスプレイされるサブエレメントに関する登録情報を保存する登録情報保存モジュール322と、当該サブディスプレイ領域でディスプレイされるサブエレメントを指定するサブエレメント制御モジュール324とを含むことができる。
【００２７】
次に、ディスプレイモジュール330は、投資情報提供元40から受信される投資情報の中で、ウィンドウ制御モジュール320によって指定されたサブエレメントを指定されたサブディスプレイ領域にディスプレイする。
【００２８】
次に、ユーザ設定制御モジュール340はユーザの設定事項を受信し、またユーザの設定に基づいて生成されたウィンドウ、サブディスプレイ領域及び/またはここにディスプレイされるカテゴリーに関する情報を保存する。ユーザ設定制御モジュール340によって、本発明の投資情報提供システム200は、その電源が遮断された後に復帰されても、既に保存されているユーザの設定を参照して以前の設定通りディスプレイできるようになる。
【００２９】
上記ユーザの設定事項は、そのユーザが特定のウィンドウを生成するか活性化させ、そのウィンドウを上下及び/または左右に区画してサブディスプレイ領域を生成させた後、各サブディスプレイ領域でディスプレイされることを所望するカテゴリーを選択する方式によって入力されることができる。または、ユーザの設定のためのメニュー及び/またはインターフェースを提供する別途のユーザ設定ウィンドウを活性化させた後、そのユーザ設定ウィンドウを利用して入力する方式も用いられることができる。しかし、このようなユーザ設定事項の入力方式は単なる設計上の選択事項であるだけで、本発明の技術思想がこのような例に限定されないことに注意しなけなければならない。
【００３０】
本発明の望ましい実施例によれば、ユーザ設定制御モジュール340は、ユーザの設定事項を受信するユーザ設定入力モジュール342と、入力されたユーザの設定事項を保存するユーザ設定保存モジュール344とを含むことができる。
【００３１】
データ受信モジュール350は、通常の有線または無線通信網を介したデータ通信を行って、投資情報提供元40が提供する投資情報を受信する。
【００３２】
図4は本発明によるサブエレメント間の関連の一例を概念的に示した図面である。S1E1ないしSmEnはそれぞれのサブエレメントの登録情報を表する。この時、SiEjにおいて、iは一つのウィンドウに含まれたi番目のサブディスプレイ領域を表し、jはi番目のサブディスプレイ領域にディスプレイされるj番目のサブエレメントを表する。すなわち、SaEbはa番目のサブディスプレイ領域のb番目のサブエレメントを意味する。
【００３３】
各サブディスプレイ領域にディスプレイされるサブエレメントは特定カテゴリーの銘柄別の投資情報を提供する。例えば、第1サブディスプレイ領域にディスプレイされるサブエレメントのカテゴリーが現在値である場合、S1E1からS1Enは各銘柄別の現在値の情報を提供する。また、第2サブディスプレイ領域420にディスプレイされるサブエレメントのカテゴリーが取引量である場合、サブエレメントS2E1からS2Epは各銘柄別の取引量の情報を提供するようになり、第3サブディスプレイ領域430にディスプレイされるサブエレメントのカテゴリーが財務分析である場合、サブエレメントS3E1からS3Eqは各銘柄別の財務分析の情報を提供する。
【００３４】
この場合、他のサブディスプレイ領域にディスプレイされるサブエレメントの中で、例えば同じ銘柄に関する情報をデータ値として持つサブエレメントは相互間に関連を持つものと識別される。上記のサブディスプレイ領域の中で特定のサブディスプレイ領域でディスプレイされるサブエレメントが他のものに変更されるか、新しいサブエレメントをディスプレイするように追加された場合、上記変更されるか追加された特定のサブエレメントと関連のあるサブエレメントがディスプレイされるように制御される。
【００３５】
一方、第4サブディスプレイ領域440にディスプレイされるサブエレメントのカテゴリーが業種指数である場合の例を説明する。すなわち、上記第1ないし第3サブディスプレイ領域でディスプレイされるサブエレメントの中で特定業種に属する銘柄の投資情報をデータ値として持つサブエレメントは、上記第4サブディスプレイ領域にディスプレイされたサブエレメントの中で当該業種の指数をデータ値として持つサブエレメントと関連を持つ。
【００３６】
例えば、上記第1サブディスプレイ領域のサブエレメントの中でS1E1、S1E2及びS1E3と、上記第2サブディスプレイ領域のサブエレメントの中でS2E1、S2E2及びS2E3と、上記第3サブディスプレイ領域のサブエレメントの中でS3E1、S3E2及びS3E3がいずれも半導体業種の特定銘柄に関する投資情報をそのデータ値として持ち、サブエレメントS4E1は半導体業種の業種指数をデータ値として持つサブエレメントである場合、上記第1ないし第3サブディスプレイ領域のサブエレメントS1E1、S1E2、S1E3、S2E1、S2E2、S2E3、S3E1、S3E2及びS3E3はいずれも上記第4サブディスプレイ領域の上記サブエレメントS4E1と関連を持つ。
【００３７】
この場合には、その情報の特性の上、上記第1ないし第3サブディスプレイ領域のサブエレメントS1E1、S1E2、S1E3、S2E1、S2E2、S2E3、S3E1、S3E2及びS3E3の中のいずれかのサブエレメントが同じ業種に属する他の銘柄の投資情報をデータ値として持つサブエレメントに変更されるとしても、上記第4サブディスプレイ領域のサブエレメントS4E1は変更されない。また、上記第1ないし第3サブディスプレイ領域に同じ業種に属する他の銘柄の投資情報をデータ値として持つサブエレメントを追加する場合にも同様である。
【００３８】
一方、各サブディスプレイ領域は二つ以上のカテゴリー及びそれぞれのカテゴリーに属するサブエレメントを含むことができる。また、一つのウィンドウに属する一つのサブディスプレイ領域のサブエレメントが他のサブディスプレイ領域のサブエレメントといかなる関連も持たない場合も生じることができ、このような場合には一つのウィンドウに属する一つのサブディスプレイ領域にディスプレイされるサブエレメントの変更があっても、関連のないサブエレメントはディスプレイされない。
【００３９】
図5aないし図5fは、本発明の投資情報提供システム200によるウィンドウ及びサブディスプレイ領域が設定される過程の一例を概念的に示した図面である。図5aに示されたように、ユーザの指示によってまず新しいウィンドウが生成されることができる。勿論、このウィンドウは既存に生成されているウィンドウであっても良い。このウィンドウはユーザによって活性化されているため、メインウィンドウとなる。
【００４０】
次に、図5bに示されたように、ユーザが上記メインウィンドウのディスプレイ領域内で、例えばマウスの右側ボタンを押すなどの方法で指示を出せば、上記メインウィンドウのディスプレイ領域にディスプレイされることができる投資情報のカテゴリーを選択することができるカテゴリー群選択窓510がディスプレイされる。ユーザが特定のカテゴリー群にマウスカーソルを位置させれば、例えばそれに属するカテゴリーを選択することができる選択窓520がディスプレイされる。
【００４１】
ユーザが特定のカテゴリー群及びカテゴリーを選択すれば、図5cに示されたように一番目のサブディスプレイ領域が生成される。このような過程を繰り返せば、図5d、5eに示されたように、新しいサブディスプレイ領域が生成される。
【００４２】
図5e及び図5fに示されたように、生成されたサブディスプレイ領域の配置はユーザが任意に行うことができる。また、生成されたウィンドウ及びサブディスプレイ領域の大きさもユーザの選択によって調整が可能であり、上記のウィンドウ及びサブディスプレイ領域の大きさによって大きさが変わる可変フォントや、大きさに関わらず固定した大きさを持つ固定フォントがいずれも用いられることができることに留意しなければならない。
【００４３】
上記でカテゴリー群選択窓510はディスプレイされずに個別的なカテゴリー選択窓520だけがディスプレイされることもでき、また上記選択窓以外の形態でディスプレイされることもできることに留意しなければならない。上記選択窓はマウスを特定領域に位置させる時、またはウィンドウが生成される時に自動に提供されるようにすることができる。勿論、ユーザがマウスの右側ボタンを押す場合以外にも、ユーザがカテゴリーを選択できるようにディスプレイされることができる。また、上記の選択によってサブディスプレイ領域が生成される前に、生成されるサブディスプレイ領域とカテゴリーの画面構成及びサブエレメントがディスプレイされる形態を予め確認できるようにプレビュー機能を支援することもできることに留意しなければならない。
【００４４】
上記ではユーザがカテゴリーを選択すればメインウィンドウが分割されながらサブディスプレイ領域が形成される例を挙げたが、ユーザが一つのウィンドウを任意に分割した後、それぞれの領域にディスプレイされるカテゴリーを選択することもできる。このような場合にも、どのようにウィンドウを分割するか、またはいくつのサブディスプレイ領域を設定するかは全的にユーザの選択にかかっている。
【００４５】
また、ウィンドウの一部領域に既にサブディスプレイ領域が形成された場合にも、その領域に新しいサブディスプレイ領域を形成することができる。このような場合、サブディスプレイ領域の上端または右側などの所定位置にタグ(tag)形式で2以上のサブディスプレイ領域が設定されていることを表示することができる。この時には、各タグを選択することによって該当サブディスプレイ領域を活性化させることができる。
【００４６】
この他にも、本発明の投資情報提供システム200によって予め設定された形式にディスプレイされるウィンドウ上で、ユーザはドラッグ・アンド・ドロップ(drag-and-drop)などの方式で自分の設定を入力するか変更することもできる。ユーザが自分の設定を入力するか変更する方法はもちろん上記の例に限定されない。
【００４７】
図6を参照すれば、図6は、本発明の投資情報提供システムによってディスプレイされるウィンドウの一例を示した図面である。図6に示された例では、ユーザが一つのウィンドウのディスプレイ領域を三つのサブディスプレイ領域に区画して、これらのそれぞれに‘関心銘柄’、‘企業情報’及び‘業種情報’のカテゴリーに属するサブエレメントをディスプレイするように設定したと仮定する。図示されたように、ユーザは上記ウィンドウのディスプレイ領域の中で ‘関心銘柄’のカテゴリーに属するサブエレメントをディスプレイするサブディスプレイ領域610が左側半分を占めるように設定した。
【００４８】
上記関心銘柄のサブディスプレイ領域610では、‘銘柄名’、‘現在値’、 ‘対比’ または ‘出来高’などの情報がディスプレイされるように設定した。その他にも‘呼び値’、‘残量’または‘残高’のようなカテゴリー中のいずれか一つをクリックすれば、該当カテゴリーに属するサブエレメントがディスプレイされることができるように、各カテゴリーをタグ612の形態で設定した。
【００４９】
また、ユーザは‘企業情報’のカテゴリーに属する情報をディスプレイするサブディスプレイ領域620を上記ウィンドウの右上部に配置した。サブディスプレイ領域620でディスプレイされるサブエレメントの付属カテゴリーとしては ‘会社概要’、‘資金変動状況’、‘財務諸表’、‘財務分析’及び‘技術的分析’などを選択し、これらのそれぞれをクリックする場合には該当サブエレメントが付属領域624にディスプレイされることができるように各カテゴリーをタグ622の形態で設定した。
【００５０】
さらに、ユーザは‘業種情報’のカテゴリーに属する情報をディスプレイするサブディスプレイ領域630を上記ウィンドウの右下部に配置した。上記サブディスプレイ領域630でディスプレイされるサブエレメントの付属カテゴリーとしては、‘業種指数’、‘業種全体’、‘業種銘柄’、‘業種分析’及び‘投資主体’などを選択し、これらのそれぞれをクリックする場合には該当サブエレメントが付属領域634にディスプレイされることができるように各カテゴリーをタグ632の形態で設定した。
【００５１】
上記のように設定されたウィンドウにおいて、ユーザが上記‘関心銘柄’のサブディスプレイ領域610内にディスプレイされているサブエレメントの中で特定銘柄のサブエレメントを指定すれば、上記‘企業情報’のサブディスプレイ領域620にはユーザによって指定された銘柄の企業情報がディスプレイされ、上記‘業種情報’のサブディスプレイ領域630には上記指定された銘柄の企業が属した業種の業種情報がディスプレイされる。
【００５２】
次に、図7を参照すれば、図7は、本発明の一実施例による作業画面のユーザ設定が可能な投資情報提供方法における作業画面の設定過程を示したフローチャートである。まず、ユーザは自分の設定を入力するために新しいウィンドウを生成するように指示するか、生成されたウィンドウ中のいずれか一つを指定する(段階S702)。
【００５３】
次に、ユーザは自分の好みや必要に応じて、生成または指定されたウィンドウのディスプレイ領域を所定個数に分割して複数のサブディスプレイ領域を形成するようにして、それぞれのサブディスプレイ領域に所望するカテゴリーを指定する(段階S704)。
【００５４】
次に、上記ウィンドウに属する各サブディスプレイ領域でディスプレイされる全てのサブエレメントに対する登録情報を保存する(段階S706)。
【００５５】
次に、上記段階S702、S704及びS706によって設定されたウィンドウ、サブディスプレイ領域及び各サブディスプレイ領域のカテゴリーなどの登録情報を当該ユーザの設定内容として保存する(段階S708)。
【００５６】
上記段階による過程は、ユーザが最初にユーザ設定を入力する場合だけでなく、既存の設定内容を変更するか新しい設定内容を付加する場合にも行われることができる。
【００５７】
図8を参照すれば、図8は、本発明の一実施例による作業画面のユーザ設定が可能な投資情報提供方法において、一つのウィンドウに含まれた複数のサブディスプレイ領域にサブエレメントがディスプレイされる過程を示したフローチャートである。
【００５８】
まず、ディスプレイされるように指定されたサブエレメントを受信(段階S802)して、受信されたサブエレメントを指定されたサブディスプレイ領域にディスプレイする(段階S804)。
【００５９】
次に、ユーザまたは投資情報提供システム200がディスプレイされているサブエレメント以外のサブエレメントを要請したかの可否を判断する(段階S806)。この判断の結果、要請がないと判断された場合には、上記段階S802及びS804を繰り返す。
【００６０】
しかし、上記段階S806での判断の結果、他のサブエレメントの要請があると判断された場合には、要請されたサブエレメントを受信して指定されたサブディスプレイ領域にディスプレイする(段階S808)。
【００６１】
次に、当該ウィンドウ内の他のサブディスプレイ領域でディスプレイされるサブエレメントの中で、上記要請されたサブエレメントと関連を持つものが存在するかを判断する(段階S810)。その判断の結果、関連を持つサブエレメントが存在すると判断される場合、投資情報提供システム200は上記関連を持つサブエレメントを受信するか抽出して、指定されたサブディスプレイ領域にディスプレイする(段階S812)。勿論、関連のあるサブエレメントが受信されないか抽出されない場合には、既存のサブエレメントが引き続きディスプレイされることが望ましい。
【００６２】
一方、段階S810での判断の結果、関連を持つサブエレメントが存在しないと判断される場合、投資情報提供システム200は制御を所定の段階にリターンさせて次の作業を行うか待機する。
【００６３】
図8に示された例では、一つのウィンドウに属した複数のサブディスプレイ領域に既に指定されたサブエレメントがディスプレイされている状態で、ユーザが他のサブエレメントを要請した場合の処理過程を示した。しかし、本発明の実施例によっては、ユーザ設定後に初めて動作が始まる場合のように、従来指定されたサブエレメントがない場合もある。このような場合には上記段階S802、S804及びS806は省略されて、ユーザがサブエレメントを要請する段階S808からの動作を行うことができる。
【００６４】
次に、図9を参照して本発明の第2実施例について詳しく説明する。図9は、本発明の第2実施例による作業画面のユーザ設定が可能な投資情報提供システムの概念的ブロック図である。図示されたように、本実施例によれば、本発明の投資情報提供システム200は、データベース構築モジュール970及びデータベース980をさらに含む。
【００６５】
上記データベース構築モジュール970は、上記投資情報提供元40から投資情報を受信して、受信されたサブエレメントに対するデータベース380を構築する。上記したように、本発明の第1実施例によれば、ユーザがディスプレイされるように指定したサブエレメントは、上記投資情報提供元40から受信された投資情報からこれらを抽出してディスプレイした。しかし、本実施例によれば、ディスプレイされるように指定されたサブエレメントをデータベース380から抽出してディスプレイする。
【００６６】
上記では、一つのウィンドウ及びこれに属したサブディスプレイ領域の例を説明したが、ユーザが2つ以上のウィンドウ及びサブディスプレイ領域を設定する場合にも、上記した本発明の技術思想が適用されることができることに留意しなければならない。さらに、上記ユーザによって生成されるか指定されたウィンドウに含まれた複数のサブディスプレイ領域のそれぞれは、それら自体が一つのウィンドウとしての属性を持つこともできる。この場合は、上記ウィンドウ制御モジュールが複数のウィンドウを上記した方式によって制御することになる。
【００６７】
本発明は何種類に限定して例示して説明したが、本発明に限らずに、本発明の原理によって本発明の思想及び範疇を逸脱しない限り、様々な変形が可能である。したがって、添付された特許請求の範囲は本発明の要旨に属するこのような修正や変形を含むものである。
【産業上の利用可能性】
【００６８】
本発明によって、ユーザは投資情報を提供されるに際し、ウィンドウ、サブディスプレイ領域及びサブディスプレイ領域のカテゴリーを自由に設定することができるようになって、ユーザの便宜を図ることができる。
【００６９】
本発明によって、ユーザが設定した項目に対する各情報を相互有機的に関連付けて提供することができ、ユーザの便宜を図ることができる。
【００７０】
本発明によって、ユーザは投資情報を提供されるに際し、ウィンドウ、サブディスプレイ領域、サブディスプレイ領域のカテゴリーを自由に設定することができるようになって、ウィンドウの個数を減らすことができ、システムの負担を軽減することができる。
【図面の簡単な説明】
【００７１】
【図１】本発明の作業画面のユーザ設定が可能な投資情報提供システムの活用例を概念的に示したブロック図。
【図２】本発明の実施例における投資情報カテゴリーの一例を概念的に示した図面。
【図３】本発明の一実施例による作業画面のユーザ設定が可能な投資情報提供システムの概念的ブロック図。
【図４】本発明によるサブエレメント間の関連の一例を概念的に示した図面。
【図５ａ】ユーザの設定によって新しいウィンドウが生成された状態を示した図面。
【図５ｂ】ユーザがメインウィンドウでディスプレイされるカテゴリーを選択する一例を示した図面。
【図５ｃ】ユーザの設定によって一番目のサブディスプレイ領域が生成された状態を示した図面。
【図５ｄ】ユーザがメインウィンドウで二番目のサブディスプレイ領域を生成させるためにカテゴリーを選択する一例を示した図面。
【図５ｅ】ユーザの設定によって二つのサブディスプレイ領域が生成されてメインウィンドウの左半面、右半面にそれぞれ配置された状態を示した図面。
【図５ｆ】ユーザの指示によって二つのサブディスプレイ領域が生成されてメインウィンドウの上半面、下半面にそれぞれ配置された状態を示した図面。
【図６】本発明の投資情報提供システムによってディスプレイされるウィンドウの一例を示した図面。
【図７】本発明の第1実施例による作業画面のユーザ設定が可能な投資情報提供方法における作業画面の設定過程を示したフローチャート。
【図８】本発明の一実施例による作業画面のユーザ設定が可能な投資情報提供方法において、一つのウィンドウに含まれた複数のサブディスプレイ領域にサブエレメントがディスプレイされる過程を示したフローチャート。
【図９】本発明の第2実施例による作業画面のユーザ設定が可能な投資情報提供システムの概念的ブロック図。
【図１】
2006510087.tif 000003
【図２】
2006510087.tif 000004
【図３ａ】
2006510087.tif 000005
【図３ｂ】
2006510087.tif 000006
【図３ｃ】
2006510087.tif 000007
【図４】
2006510087.tif 000008
【図５ａ】
2006510087.tif 000009
【図５ｂ】
2006510087.tif 000010
【図５ｃ】
2006510087.tif 000011
【図５ｄ】
2006510087.tif 000012
【図５ｅ】
2006510087.tif 000013
【図５ｆ】
2006510087.tif 000014
【図６】
2006510087.tif 000015
【図７】
2006510087.tif 000016
【図８】
2006510087.tif 000017
【図９】
2006510087.tif 000018
【国際調査報告】
2006510087.tif 000019